(57)【要約】  本発明は、横方向に展開可能な光起電力装置及びソーラーカーを提供する。当該光起電力装置は、太陽電池チップが敷設された少なくとも一つの移動板と、移動板と車体とを固定して接続する回転駆動装置と、横転装置とを含み、回転駆動装置は固定端と駆動端とを含み、回転駆動装置は固定端を介して車体に固定され、回転駆動装置の駆動端は移動板に固定して接続され、移動板は回転駆動装置によって駆動されて車体の側方に回転され、横転装置の固定端は車体に固定して接続され、横転装置の横転調整端は移動板に固定して接続され、車体に対する移動板の角度を調整する。本発明が提供する横方向に展開可能な光起電力装置及びソーラーカーは、回転駆動装置が移動板を駆動して車体の側方に展開させ、太陽光エネルギーを収集する有効な面積を増加するとともに、ソーラーカーの走行中には、折り畳んで、自動車全体の走行に影響を与えない。
2019522451.tif 000002
【特許請求の範囲】
【請求項１】
横方向に展開可能な光起電力装置であって、
太陽電池チップが敷設された少なくとも一つの移動板と、前記移動板と車体とを固定して接続する回転駆動装置と、横転装置とが含まれ、
前記回転駆動装置は、固定端と駆動端とを含み、前記回転駆動装置は前記固定端を介して前記車体に固定され、前記回転駆動装置の駆動端は前記移動板に固定して接続され、前記移動板は回転駆動装置によって駆動されて前記車体の側方に回転され、
前記横転装置の固定端は前記車体に固定して接続され、前記横転装置の横転調整端は前記移動板に固定して接続され、前記車体に対する前記移動板の角度を調整することを特徴とする横方向に展開可能な光起電力装置。
【請求項２】
前記回転駆動装置は、前記移動板を前記車体の側方から回転させて折り畳むように駆動することを特徴とする請求項１に記載の横方向に展開可能な光起電力装置。
【請求項３】
さらに、頂面に太陽電池チップが敷設されている固定板が含まれ、前記回転駆動装置は、前記移動板を前記車体の側方から回転させて前記固定板の下方に折り畳むように駆動することを特徴とする請求項１〜２のいずれか一項に記載の横方向に展開可能な光起電力装置。
【請求項４】
前記移動板は一つ又は複数であることを特徴とする請求項１〜２のいずれか一項に記載の横方向に展開可能な光起電力装置。
【請求項５】
前記回転駆動装置が移動板を前記車体の側方から回転させて折り畳むように駆動した後、複数の前記移動板は互いに重なり合って配置されることを特徴とする請求項４に記載の横方向に展開可能な光起電力装置。
【請求項６】
前記回転駆動装置はモータであることを特徴とする請求項１に記載の横方向に展開可能な光起電力装置。
【請求項７】
さらに、固定端が前記車体に固定して接続され、高度調整端が前記移動板に固定して接続され、前記車体に対する前記移動板の高度を調整するための高度調整装置が含まれることを特徴とする請求項１に記載の横方向に展開可能な光起電力装置。
【請求項８】
ソーラーカーであって、
前記ソーラーカーには、請求項１〜７のいずれか一項に記載の横方向に展開可能な光起電力装置が含まれ、前記光起電力装置が前記ソーラーカーのルーフ上に位置することを特徴とするソーラーカー。
【請求項９】
前記ソーラーカーのルーフに太陽電池チップが敷設されることを特徴とする請求項８に記載のソーラーカー。
【発明の詳細な説明】
【技術分野】
【０００１】
本発明は、新エネルギー自動車技術に関し、特に、横方向に展開可能な光起電力装置、及びソーラーカーに関する。
【背景技術】
【０００２】
ソーラーカーは、太陽電池チップを集積し、太陽エネルギーを電気エネルギーに変換することで自動車を駆動して走行させる新エネルギー自動車である。
【０００３】
従来のソーラーカーは、自動車の構造の制約から、太陽電池チップの敷設面積を制限しているため、ソーラーカーによる太陽エネルギーの収集量も相応して少なくなり、ひいては、太陽エネルギーを電気エネルギーに変換するパワーを制限してしまうので、従来のソーラーカーは、ソーラーカーに実際に必要な電気エネルギーパワーを十分に満たすことができなかった。
【発明の概要】
【課題を解決するための手段】
【０００４】
本発明は、従来技術の問題を解決し、ソーラーカーによる太陽エネルギーの収集能力を向上させる、横方向に展開可能な光起電力装置、及びソーラーカーを提供することを目的とする。
【０００５】
本発明は、横方向に展開可能な光起電力装置を提供し、太陽電池チップが敷設された少なくとも一つの移動板と、前記移動板と車体とを固定して接続する回転駆動装置と、横転装置とが含まれ、
前記回転駆動装置は、固定端と駆動端とを含み、前記回転駆動装置は前記固定端を介して前記車体に固定され、前記回転駆動装置の駆動端は前記移動板に固定して接続され、前記移動板は回転駆動装置によって駆動されて前記車体の側方に回転され、
前記横転装置の固定端は前記車体に固定して接続され、前記横転装置の横転調整端は前記移動板に固定して接続され、前記車体に対する前記移動板の角度を調整する。
【０００６】
上記の横方向に展開可能な光起電力装置において、好ましくは、前記回転駆動装置は、前記移動板を前記車体の側方から回転させて折り畳むように駆動する。
【０００７】
上記の横方向に展開可能な光起電力装置において、好ましくは、さらに、頂面に太陽電池チップが敷設されている固定板が含まれ、前記回転駆動装置は、前記移動板を前記車体の側方から回転させて前記固定板の下方に折り畳むように駆動することができる。
【０００８】
上記の横方向に展開可能な光起電力装置において、好ましくは、前記移動板は一つ又は複数である。
【０００９】
上記の横方向に展開可能な光起電力装置において、好ましくは、前記回転駆動装置が移動板を前記車体の側方から回転させて折り畳むように駆動した後、複数の前記移動板は互いに重なり合って配置される。
【００１０】
上記の横方向に展開可能な光起電力装置において、好ましくは、前記回転駆動装置はモータである。
【００１１】
上記の横方向に展開可能な光起電力装置において、好ましくは、さらに、固定端が前記車体に固定して接続され、高度調整端が前記移動板に固定して接続され、前記車体に対する前記移動板の高度を調整するための高度調整装置が含まれる。
【００１２】
本発明は、さらに、ソーラーカーを提供し、前記ソーラーカーは、本発明が提供する横方向に展開可能な光起電力装置を含み、前記光起電力装置は前記ソーラーカーのルーフに位置する。
【００１３】
上記のソーラーカーにおいて、好ましくは、前記ソーラーカーのルーフに太陽電池チップが敷設されている。
【００１４】
本発明が提供する横方向に展開可能な光起電力装置及びソーラーカーは、回転駆動装置と移動板とを設置することで、回転駆動装置が移動板を駆動して、ソーラーカーの停止、走行しない際に車体の側方に展開させ、太陽エネルギーを収集する有効な面積を増加するとともに、ソーラーカーの走行中折り畳んで、自動車全体の走行に影響を与えないようにする。従来の技術と比べて、本発明が提供する横方向に展開可能な光起電力装置及びソーラーカーは、太陽エネルギーの収集能力を大幅に向上させるようになる。
【図面の簡単な説明】
【００１５】
【図１】本発明の実施例が提供するソーラーカーの、移動板が展開された後の状態の模式図である。
【図２】本発明の実施例が提供するソーラーカーの、移動板が折り畳まれた後の状態の模式図である。
【図３】本発明の実施例が提供する横方向に展開可能な光起電力装置における移動板が展開された後の状態の模式図である。
【図４】本発明の実施例が提供する横方向に展開可能な光起電力装置における移動板が折り畳まれた後の状態の模式図である。
【発明を実施するための形態】
【００１６】
本願は、２０１７年５月２４日に中国専利局に提出した、出願番号が２０１７２０５８５１４６.６であって、発明の名称が「横方向に展開可能な光起電力装置、及びソーラーカー」である中国特許出願の優先権を主張し、本願にその全ての内容を援用するものとする。
【００１７】
以下、本発明の実施例について詳細に記述し、前記実施例の例は図面に示され、なお、同じ又は類似の符号は、始終同じ又は類似の素子或いは同じ又は類似の機能を有する素子を示す。以下、図面を参照しながら記述する実施例は例示的であり、本発明を解釈するためのものであり、本発明の限定を意図しない。
【００１８】
本発明の実施例は、横方向に展開可能な光起電力装置を提供し、ソーラーカーのルーフに応用することができる。図１は、本発明の実施例が提供するソーラーカーの、移動板が展開された後の状態の模式図であり、図２は、本発明の実施例が提供するソーラーカーの、移動板が折り畳まれた後の状態の模式図である。図１と図２に示すように、本発明の実施例が提供する横方向に展開可能な光起電力装置は、少なくとも一つの、太陽電池チップが敷設された移動板２と、移動板２と車体３とを固定して接続する回転駆動装置とを含む。
【００１９】
図３は、本発明の実施例が提供する横方向に展開可能な光起電力装置における移動板が折り畳まれた後の状態の模式図であり、図４は、本発明の実施例が提供する横方向に展開可能な光起電力装置における移動板が折り畳まれた後の状態の模式図である。同時に図１〜図４を参照して、回転駆動装置４は、固定端と駆動端とを含み、回転駆動装置４は固定端を介して車体３に固定され、回転駆動装置４の駆動端は移動板２に固定して接続され、移動板２は回転駆動装置４によって駆動されて車体３の側方に回転される。
【００２０】
回転駆動装置４は、各種の形で実現でき、例えば、モータ、気圧シリンダ又は油圧シリンダなどの動力装置であってもよい。好ましくは、この実施例の回転駆動装置４はモータであり、モータの固定端は、ネジ、ボルトを介して車体３に締結されてもよいし、車体３に溶接されてもよく、駆動端はモータの回転軸であってもよく、モータにより当該回転軸を駆動して回動させ、さらに、移動板２を駆動して横方向に展開させるか、折り畳む。モータの電源は、太陽エネルギーの変換により提供でき、これにより、太陽エネルギーを効果的に利用するようになる。
【００２１】
本発明の実施例が提供する横方向に展開可能な光起電力装置は、自動車に応用してもよいし、他の太陽エネルギーを利用する機器に応用してもよい。自動車に応用する場合に、移動板を展開することで、太陽エネルギーを収集する有効な面積を増加することができる。
【００２２】
好ましくは、回転駆動装置４は、さらに、移動板２を駆動して車体３の側方から回転させて折り畳む。回転駆動装置は移動板を制御してソーラーカーの走行中、折り畳むことで、自動車全体の走行に影響を与えないようにする。
【００２３】
一つの好ましい実現形態として、当該光起電力装置は、頂面に太陽電池チップが敷設された固定板１をさらに含み、上記回転駆動装置４は、移動板２を駆動して車体３の側方から回転させて固定板１の下方に折り畳むことができる。固定板１の設置は、移動板２が展開される際に、移動板２とともに太陽エネルギーを吸収することが可能となり、ソーラーカーによる太陽エネルギーの吸収能力をより高める。
【００２４】
設計の必要に応じて、移動板２の数を一つ又は複数に設定することができ、この実施例において、移動板２の数は四つである。回転駆動装置４が移動板２を駆動して車体３の側方から回転させて折り畳んだ後、複数の移動板２は互いに重なり合って配置されてもよく、自動車が走行しないときに小さいスペースを占めるようになる。
【００２５】
上記実施例に加えて、本発明の実施例が提供する横方向に展開可能な光起電力装置は、車体３に対する移動板２の高度を調整するための高度調整装置をさらに含む。高度調整装置は、固定端が車体３に固定して接続され、高度調整端が移動板２に固定して接続される。当該高度調整装置はリフトシリンダで実現でき、ソーラーカーが駐車スペースに駐車された場合に、高度調整装置により移動板２を一定の高度までリフトすることにより、隣り合う駐車スペースの自動車とスペース占有の衝突が発生することを避ける。
【００２６】
さらに、当該横方向に展開可能な光起電力装置は、車体３に対する移動板２の角度を調整するための横転装置をさらに含んでもよい。当該横転装置は、固定端が車体３に固定して接続され、横転調整端が移動板２に固定して接続されて、横転装置は、具体的に、横転シリンダを設置することで実現でき、これにより、移動板２は、その最大面積で太陽エネルギーを受け取るように、１日の異なる時間に応じて移動板２の横転角を調整することができる。
【００２７】
本発明の実施例はソーラーカーをさらに提供する。図１と図２を参照すると、当該ソーラーカーは、本発明のいずれかの実施例が提供する横方向に展開可能な光起電力装置を含み、当該光起電力装置がソーラーカーのルーフに位置する。
【００２８】
さらに、ソーラーカーのルーフに太陽電池チップが敷設されている。移動板２が回転して展開された後、ルーフ上の太陽電池チップと移動板２上の太陽電池チップは一緒に太陽エネルギーを吸収し、太陽エネルギーの吸収率を高めるようになる。当業者は、上記横方向に展開可能な光起電力装置が固定板１を有している場合に、ルーフに太陽電池チップが敷設されず、固定板１上のみに太陽電池チップが敷設されてもよく、このようにすれば、移動板２が折り畳まれる場合に、固定板１上の太陽電池チップにより太陽エネルギーを吸収できると理解される。
【００２９】
以上で、図に示す実施例に従って本発明の構造、特徴及び作用効果について詳細に説明した。以上の記述は本発明の好適な実施例であり、図面により実施の範囲を限定するものではない。本発明の構想に準じてなされる変更、又は修正は、同等に変化する等価実施例であり、明細書と図面とがカバーする精神を超えない場合に、いずれも本発明の保護範囲に含まれる。
【符号の説明】
【００３０】
１  固定板
２  移動板
３  車体
４  回転駆動装置
【図１】
2019522451.tif 000003
【図２】
2019522451.tif 000004
【図３】
2019522451.tif 000005
【図４】
2019522451.tif 000006
【国際調査報告】
2019522451.tif 000007
2019522451.tif 000008
2019522451.tif 000009
2019522451.tif 000010
2019522451.tif 000011
2019522451.tif 000012